(57)【要約】      （修正有）【課題】原稿台上への原稿の置き忘れを検出するために部品点数が増加することを抑制することができる画像読取装置を提供する。【解決手段】画像読取装置は、媒体を読取る読取部と、媒体を読取る第１読取の結果に基づいて第１画像を生成し、第１読取とは異なるタイミングで実行する第２読取の結果に基づいて第２画像を生成する制御部と、第１画像と第２画像との共通領域の比較結果に基づいて、媒体の有無を判定する第１判定部１０２とを含む。【選択図】図２
2015216637.tif 000002
【特許請求の範囲】
【請求項１】
媒体を読取る読取部と、
前記媒体を読取る第１読取の結果に基づいて第１画像を生成し、前記第１読取とは異なるタイミングで実行する第２読取の結果に基づいて第２画像を生成する制御部と、
前記第１画像と前記第２画像との共通領域の比較結果に基づいて、前記媒体の有無を判定する第１判定部とを含む
画像読取装置。
【請求項２】
前記第１判定部の判定結果に基づいて、
前記読取部は、第３読取を実行し、
前記制御部は、前記第３読取に基づいて第３画像を生成し、
前記判定部は、
前記第１画像と前記第３画像との第１共通領域における比較結果に基づいて、前記媒体が同一であること判定する第２判定部を含む、
請求項１に記載の画像読取装置。
【請求項３】
前記第２判定部の判定結果に基づいて判定情報を通知する通知部をさらに備える
請求項２に記載の画像読取装置。
【請求項４】
前記制御部は、
前記第２判定部の判定結果に基づいて第１画像を送信する送信部をさらに備える
請求項３に記載の画像読取装置。
【請求項５】
前記共通領域は前記媒体の端部である請求項１に記載の画像読取装置。
【請求項６】
前記読取部は、
前記第１判定部において、前記媒体の端部の位置が一致する場合に、前記第３読取を実行する
請求項２に記載の画像読取装置。
【請求項７】
前記画像読取装置は、さらに、
前記第１画像の画像特徴に基づいて、前記第１共通領域を決定する決定部を備える
請求項２に記載の画像読取装置。
【請求項８】
前記第１画像は、前記所定方向と直交する方向に並ぶ複数の画素を含む複数の画素ラインを含み、
前記決定部は、
前記第１画像に含まれる前記複数の画素ラインの中から、所定の輝度値よりも小さい輝度値を有する非白画素であって第１閾値数以上の数の非白画素を有する少なくとも１つの第１画素ラインを決定し、
前記少なくとも１つの第１画素ラインに基づいて前記第１共通領域を決定する
請求項７に記載の画像読取装置。
【請求項９】
前記決定部は、
各々が前記第１閾値数以上の数の非白画素を含む２以上の画素ラインが前記第１画像に含まれる場合、前記２以上の画素ラインのうち、読取の開始位置に最も近い画素ラインを前記第１画素ラインと決定する
請求項８に記載の画像読取装置。
【請求項１０】
前記決定部は、
前記第１画素ラインに含まれる非白画素の数が、前記第１閾値数より大きい第２閾値数以上である場合、前記第１画素ラインに対応する前記媒体上の領域を前記第１共通領域と決定し、
前記第１画素ラインに含まれる非白画素の数が前記第２閾値数未満である場合、前記第１画素ラインを含む複数の画素ラインに対応する前記媒体上の領域を前記第１共通領域と決定する
請求項９に記載の画像読取装置。
【請求項１１】
前記決定部は、
互いに所定ライン数以上離れて位置する複数の前記第１画素ラインを決定し、
前記複数の第１画素ラインに基づいて複数の前記第１共通領域を決定する、
請求項８に記載の画像読取装置。
【請求項１２】
前記制御部は、前記第３読取において、
前記第１共通領域に到達するまで前記読取部を第１速度で移動させ、前記第１共通領域に到達してから前記読取部を前記第１速度より小さい第２速度で移動させる
請求項２に記載の画像読取装置。
【請求項１３】
前記制御部は、
前記第１判定部によって前記媒体がないと判定された後に、前記読取部を待機位置に移動させる
請求項２に記載の画像読取装置。
【発明の詳細な説明】
【技術分野】
【０００１】
本発明は、原稿台に載置された原稿をスキャンする画像読取装置に関し、特に、原稿台への原稿の置き忘れを抑制することができる画像読取装置に関する。
【背景技術】
【０００２】
フラットベッド型の画像読取装置では、ライン方向に並ぶ複数の撮像素子を備えるラインイメージセンサが、所定方向（スキャン方向）に移動しながら原稿台上に載置された原稿をスキャンする。このような画像読取装置を利用する際には、ユーザは、まず、原稿を原稿台に載置する。そして、ユーザは、原稿がスキャンされた後に原稿台から原稿を取り出す。
【０００３】
しかし、原稿がスキャンされた後に、原稿台から原稿を取り出すことが忘れられる場合がある。この場合、原稿台上に置き忘れられた原稿の内容を他人に見られてしまうことがある。例えば、原稿の内容に機密事項が含まれている場合、その機密事項が漏洩してしまうことがある。
【０００４】
そこで、原稿台への原稿の置き忘れを防止するための技術が、例えば、特許文献１に開示されている。特許文献１では、原稿の置き忘れを検出するためのセンサが、画像読取装置に設けられている。そして、そのセンサの検出結果に基づいて、原稿台上に原稿が置き忘れられているか否かが確認される。
【先行技術文献】
【特許文献】
【０００５】
【特許文献１】特開２００５−０８４４０３号公報
【発明の概要】
【発明が解決しようとする課題】
【０００６】
しかしながら、従来技術では、原稿台上への原稿の置き忘れを検出するために専用のセンサが要求される。その結果、画像読取装置の部品点数が増加してしまう。
【０００７】
そこで、本発明は、原稿台上への原稿の置き忘れを検出するために部品点数が増加することを抑制することができる画像読取装置を提供する。
【課題を解決するための手段】
【０００８】
本発明の一態様に係る画像読取装置は、媒体を読取る読取部と、前記媒体を読取る第１読取の結果に基づいて第１画像を生成し、前記第１読取とは異なるタイミングで実行する第２読取の結果に基づいて第２画像を生成する制御部と、前記第１画像と前記第２画像との共通領域の比較結果に基づいて、前記媒体の有無を判定する第１判定部とを含む。
【０００９】
例えば、前記第１判定部の判定結果に基づいて、前記読取部は、第３読取を実行し、前記制御部は、前記第３読取に基づいて第３画像を生成し、前記判定部は、前記第１画像と前記第３画像との第１共通領域における比較結果に基づいて、前記媒体が同一であること判定する第２判定部を含んでもよい。
【００１０】
例えば、前記第２判定部の判定結果に基づいて判定情報を通知する通知部をさらに備えてもよい。この構成によれば、媒体の置き忘れをユーザに通知することができる。例えば、アラーム（音）の出力、あるいは、ユーザの端末にメールやアプリを通じた通知等をすることで、ユーザに媒体の置き忘れを気づかせることができる。
【００１１】
例えば、前記制御部は、前記第２判定部の判定結果に基づいて第１画像を送信する送信部をさらに備えてもよい。この構成によれば、媒体の置き忘れが無いと判定された場合に、初めて読取データを送信することができる。その結果、媒体を置き忘れた際に、読取データを送信しないことで、ユーザは媒体の取り忘れに気付くことができる。また、セキュリティの観点からは、意図しない読取データの送信を防止することができる。
【００１２】
例えば、前記共通領域は前記媒体の端部であってもよい。
【００１３】
例えば、前記読取部は、前記第１判定部において、前記媒体の端部の位置が一致する場合に、前記第３読取を実行してもよい。
【００１４】
例えば、前記画像読取装置は、さらに、前記第１画像の画像特徴に基づいて、前記第１共通領域を決定する決定部を備えるようにしてもよい。
【００１５】
この構成によれば、第１画像の画像特徴に基づいて、第１共通領域を決定することができる。つまり、第１画像および第３画像を比較するための第１共通領域を、画像特徴に応じて適応的に決定することができる。したがって、第１原稿内の固定領域（例えば中央領域）を第１共通領域と決定する場合よりも、白画素を多く含む領域（つまり、画像特徴が少ない領域）を第１共通領域と決定することを防ぐことができる。その結果、媒体が同一であるか否かの判定の精度を向上させることができる。
【００１６】
例えば、前記第１画像は、前記所定方向と直交する方向に並ぶ複数の画素を含む複数の画素ラインを含み、前記決定部は、前記第１画像に含まれる前記複数の画素ラインの中から、所定の輝度値よりも小さい輝度値を有する非白画素であって第１閾値数以上の数の非白画素を有する少なくとも１つの第１画素ラインを決定し、前記少なくとも１つの第１画素ラインに基づいて前記第１共通領域を決定するようにしてもよい。
【００１７】
この構成によれば、第１閾値数以上の数の非白画素を有する少なくとも１つの第１画素ラインに基づいて第１共通領域を決定することができる。したがって、白画素が多く含まれる領域（つまり、画像特徴が少ない領域）を第１共通領域と決定することを防ぐことができ、媒体が同一であるか否かの判定の精度を向上させることができる。
【００１８】
例えば、前記決定部は、各々が前記第１閾値数以上の数の非白画素を含む２以上の画素ラインが前記第１画像に含まれる場合、前記２以上の画素ラインのうち、読取の開始位置に最も近い画素ラインを前記第１画素ラインと決定するようにしてもよい。
【００１９】
この構成によれば、２以上の画素ラインのうち、読取の開始位置に最も近い画素ラインを第１画素ラインと決定することができる。したがって、第２部分領域を読取するための読取部の移動を抑制することができる。その結果、媒体の置き忘れを判定するための、処理負荷の軽減および処理速度の向上を実現することができる。
【００２０】
例えば、前記決定部は、前記第１画素ラインに含まれる非白画素の数が、前記第１閾値数より大きい第２閾値数以上である場合、前記第１画素ラインに対応する前記媒体上の領域を前記第１共通領域と決定し、前記第１画素ラインに含まれる非白画素の数が前記第２閾値数未満である場合、前記第１画素ラインを含む複数の画素ラインに対応する前記媒体上の領域を前記第１共通領域と決定するようにしてもよい。
【００２１】
この構成によれば、第１画素ラインに含まれる非白画素の数に応じて第１共通領域の大きさを変更することができる。したがって、白画素を多く含む領域（つまり、画像特徴が少ない領域）を第１共通領域と決定することを防ぐことができる。その結果、媒体が同一であるか否かの判定の精度を向上させることができる。
【００２２】
例えば、前記決定部は、互いに所定ライン数以上離れて位置する複数の前記第１画素ラインを決定し、前記複数の第１画素ラインに基づいて複数の前記第１共通領域を決定するようにしてもよい。
【００２３】
この構成によれば、複数の第１共通領域の比較結果に基づいて、媒体が同一であるか否かを判定することができる。したがって、媒体が同一であるか否かの判定の精度を向上させることができる。
【００２４】
例えば、前記制御部は、前記第３読取において、前記第１共通領域に到達するまで前記読取部を第１速度で移動させ、前記第１共通領域に到達してから前記読取部を前記第１速度より小さい第２速度で移動させるようにしてもよい。
【００２５】
この構成によれば、第１共通領域に到達するまで読取部を第１速度で移動させ、第１共通領域に到達してから読取部を第１速度より小さい第２速度で移動させることができる。したがって、読取の必要がないときに読取部を高速で移動することができ、媒体の置き忘れを判定するための処理速度を向上させることができる。
【００２６】
例えば、前記制御部は、前記第１判定部によって前記媒体がないと判定された後に、前記読取部を待機位置に移動させてもよい。
【００２７】
この構成によれば、媒体がある場合に読取部が待機位置に移動せずに、媒体がない場合に読取部が待機位置に移動する。したがって、媒体の置き忘れを検出するための読取部の移動を抑制することができ、媒体の置き忘れの検出を高速に行うことが可能となる。
【００２８】
なお、本発明は、このような特徴的な構成要素を備える画像読取装置として実現することができるだけでなく、画像読取装置に含まれる特徴的な構成要素が実行する処理をステップとする通知方法として実現することができる。また、画像読取装置に含まれる特徴的な構成要素としてコンピュータを機能させるためのプログラムまたは通知方法に含まれる特徴的なステップをコンピュータに実行させるプログラムとして実現することもできる。そして、そのようなプログラムを、ＣＤ−ＲＯＭ（Ｃｏｍｐａｃｔ  Ｄｉｓｃ−Ｒｅａｄ
Ｏｎｌｙ  Ｍｅｍｏｒｙ）等のコンピュータ読取可能な非一時的な記録媒体やインターネット等の通信ネットワークを介して流通させることができるのは、言うまでもない。
【発明の効果】
【００２９】
本発明の一態様に係る画像読取装置は、原稿台上への原稿の置き忘れを検出するために部品点数が増加することを抑制することができる。
【図面の簡単な説明】
【００３０】
【図１】実施の形態１に係る画像読取装置の外観を示す斜視図である。
【図２】実施の形態１に係る画像読取装置の機能構成を示すブロック図である。
【図３】実施の形態１に係る画像読取装置の処理動作を示すフローチャートである。
【図４】実施の形態１における第１部分領域の決定処理の詳細を示すフローチャートである。
【図５】実施の形態１における第１部分領域および第２部分領域の一例を示す図である。
【図６】実施の形態２に係る画像読取装置の機能構成を示すブロック図である。
【図７】実施の形態２に係る画像読取装置の処理動作を示すフローチャートである。
【図８】実施の形態３に係る画像読取装置の機能構成を示すブロック図である。
【図９】実施の形態３に係る画像読取装置の処理動作を示すフローチャートである。
【図１０】実施の形態３における第１部分領域の決定処理の詳細を示すフローチャートである。
【図１１】実施の形態３における複数の第１部分領域および複数の第２部分領域の一例を示す図である。
【図１２】実施の形態４に係る画像読取装置の機能構成を示すブロック図である。
【図１３】実施の形態４に係る画像読取装置の処理動作を示すフローチャートである。
【発明を実施するための形態】
【００３１】
以下、実施の形態について、図面を参照しながら具体的に説明する。
【００３２】
なお、以下で説明する実施の形態は、いずれも包括的または具体的な例を示すものである。以下の実施の形態で示される数値、形状、材料、構成要素、構成要素の配置位置および接続形態、ステップ、ステップの順序などは、一例であり、請求の範囲を限定する主旨ではない。また、以下の実施の形態における構成要素のうち、独立請求項に記載されていない構成要素については、任意の構成要素として説明される。
【００３３】
（実施の形態１）
［画像読取装置のハードウェア構成］
図１は、実施の形態１に係る画像読取装置の外観を示す斜視図である。本実施の形態に係る画像読取装置１０は、例えば、フラットベッド型のイメージスキャナである。画像読取装置１０は、筐体１１と、蓋体１２と、原稿台１３と、スキャン部１４とを備える。
【００３４】
筐体１１は、スキャン部１４およびスキャン部１４を駆動する駆動源（図示せず）などを収容する。筐体１１は、例えば樹脂製である。
【００３５】
蓋体１２は、原稿台１３を開閉自在に塞ぐ部材である。一般的な使用場面では、原稿が原稿台１３に載置される際に蓋体１２が開けられ、原稿がスキャンされる際に蓋体１２が閉じられる。
【００３６】
原稿とは、スキャンの対象となる物体である。具体的には、原稿は、例えば、文書、写真、本などである。原稿は、媒体ともいう。
【００３７】
原稿台１３は、筐体１１の上面に設けられた透明な板状部材である。具体的には、原稿台１３は、例えば、プラテンガラスである。
【００３８】
スキャン部（読取部）１４は、所定方向（スキャン方向、Ｘ軸方向）に移動しながら原稿台１３に載置された原稿をスキャンする。スキャン部１４は、例えば、光源およびラインイメージセンサを含む。ラインイメージセンサは、所定方向に直交する方向（ライン方向、Ｙ軸方向）に並んで配置された複数の撮像素子を備える。ラインイメージセンサは、例えば、ＣＩＳ（Contact Image Sensor）、ＣＣＤ（Charge Coupled Device）イメージセンサである。
【００３９】
具体的には、スキャン部１４は、例えば、モータなどの駆動源によって駆動され、スキャン方向に移動する。その時、光源は、原稿台に載置された原稿に光を照射する。ラインイメージセンサは、原稿からの反射光を電気信号に変換する。
【００４０】
［画像読取装置の機能構成］
次に、本実施の形態に係る画像読取装置１０の機能構成について説明する。図２は、実施の形態１に係る画像読取装置の機能構成を示すブロック図である。図２に示すように、画像読取装置１０は、第１制御部１０１と、第１判定部１０２と、決定部１０３と、第２制御部１０４と、第２判定部１０５と、通知部１０６とを備える。
【００４１】
第１制御部１０１は、原稿台１３に載置された第１原稿をスキャン部１４にスキャンさせることにより第１画像を生成する。つまり、第１制御部１０１は、スキャン部１４をスキャン方向に移動させ、原稿台１３上の第１原稿をスキャンさせる。
【００４２】
ここで、第１画像とは、スキャンされた第１原稿のデジタル画像である。具体的には、第１画像は、例えば、グレースケール画像、カラー画像、または所定の色（例えば、赤、緑または青）の画像である。
【００４３】
第１判定部１０２は、第１原稿がスキャンされた後に、原稿台１３上における第２原稿の端の検出を行うことにより、原稿台１３上に第２原稿が載置されている否かを判定する。具体的には、第１判定部１０２は、例えば、原稿台１３上のスキャン部１４の待機位置近傍においてスキャン部１４を動作させることにより、原稿の厚みによって生じる蓋体１２と原稿との段差を検出する。
【００４４】
決定部１０３は、第１画像の画像特徴に基づいて、第１原稿内の少なくとも１つの第１部分領域を決定する。ここで、原稿の部分領域とは、原稿台１３に載置された原稿の原稿台１３側の面（スキャンされる面）の一部分を意味する。
【００４５】
具体的には、決定部１０３は、例えば、第１画像に含まれる複数の画素ラインの中から、第１閾値数以上の数の非白画素を有する第１画素ラインを決定する。画素ラインとは、スキャン方向（Ｘ軸方向）と直交する方向（ライン方向、Ｙ軸方向）に並ぶ画素の列である。さらに、決定部１０３は、第１画素ラインに基づいて第１部分領域を決定する。
【００４６】
ここで、非白画素とは、所定の輝度値よりも小さい輝度値を有する画素である。例えば、第１画像が、グレースケール画像である場合には、非白画素は、所定の輝度値よりも小さい画素値を有する画素である。また例えば、第１画像が、ＲＧＢカラーモデルで表現されたカラー画像である場合には、非白画素は、赤画像の画素値、緑画像の画素値および青画像の画素値の平均値であって所定の輝度値よりも小さい平均値を有する画素であってもよい。また例えば、第１画像が、ＲＧＢカラーモデルで表現されたカラー画像である場合に、非白画素は、所定の輝度値よりも小さい赤画像（または、緑画像、青画像）の画素値を有する画素であってもよい。
【００４７】
ここで、所定の輝度値とは、画素が白いか否かを区別するための輝度値である。例えば、所定の輝度値は、第１画像および第２画像において表現可能な輝度値の上限より一定値だけ小さい値である。一定値は、実験あるいは経験に基づいて予め決定されればよく、ゼロであってもよい。また例えば、所定の輝度値は、第１画像の輝度値に依存する値であってもよい。具体的には、所定の輝度値は、例えば、第１画像の最大輝度値よりも一定値だけ小さい値であってもよい。
【００４８】
第２制御部１０４は、原稿台１３上に第２原稿が載置されていると判定された場合に、第１原稿内の少なくとも１つの第１部分領域に対応する、第２原稿内の少なくとも１つの第２部分領域をスキャン部１４にスキャンさせることにより、少なくとも１つの第２画像を生成する。具体的には、第２制御部１０４は、第１部分領域の形状および大きさと同じ形状および大きさを有する第２部分領域であって、第１部分領域と同じ原稿台１３上の位置に位置する第２部分領域の第２画像を生成する。第１部分領域および第２部分領域をまとめて第１共通領域とも呼ぶ。
【００４９】
ここで、第２画像とは、スキャンされた第２原稿内の第２部分領域のデジタル画像である。また、第２画像は、第１画像と同種類の画像である。つまり、例えば第１画像がグレースケール画像である場合は、第２画像もグレースケール画像である。また例えば、第１画像がカラー画像である場合は、第２画像もカラー画像である。
【００５０】
第２判定部１０５は、第１画像に含まれる少なくとも１つの第１部分領域の画像と少なくとも１つの第２画像（つまり、第２部分領域の画像）とを比較することにより、第２原稿が第１原稿と同一であるか否かを判定する。つまり、第２判定部１０５は、第１部分領域の画像と第２部分領域の画像とが一致する場合に、第２原稿が第１原稿と同一であると判定する。逆に、第２判定部１０５は、第１部分領域の画像と第２部分領域の画像とが一致しない場合に、第２原稿が第１原稿と異なると判定する。
【００５１】
通知部１０６は、第２判定部１０５の判定結果に基づいて判定情報を通知する。具体的には、通知部１０６は、第２原稿が第１原稿と同一であると判定された場合に、原稿台１３への第１原稿の置き忘れをユーザに通知する。例えば、通知部１０６は、メッセージあるいは画像を表示部（図示せず）に表示することにより、第１原稿の置き忘れをユーザに通知してもよい。また例えば、通知部１０６は、警告ランプ（図示せず）を点灯あるいは点滅させることにより、第１原稿の置き忘れをユーザに通知してもよい。また例えば、通知部１０６は、警告音を出力することにより、第１原稿の置き忘れをユーザに通知してもよい。また例えば、通知部１０６は、画像読取装置１０とは異なる他の装置にメッセージを送信することにより、第１原稿の置き忘れをユーザに通知してもよい。また、通知部１０６は、表示部へのメッセージあるいは画像の表示、警告ランプの点灯あるいは点滅、および、警告音の出力を、任意に組合せて実行することにより、第１原稿の置き忘れをユーザに通知してもよい。
【００５２】
［画像読取装置の動作］
次に、以上のように構成された画像読取装置１０の動作について説明する。図３は、実施の形態１に係る画像読取装置の処理動作を示すフローチャートである。図４は、実施の形態１における第１部分領域の決定処理の詳細を示すフローチャートである。図５は、実施の形態１における第１部分領域および第２部分領域の一例を示す図である。
【００５３】
なお、図５では、筐体１１内から見たときの、第１原稿１１０（図５の（ａ））および第２原稿１２０（図５の（ｂ））が表わされている。また、第１原稿１１０および第２原稿１２０は、Ｘ軸の正の向きに（つまり、図５における左辺から右辺に向けて）スキャンされる。つまり、図５では、スキャンの開始位置は、第１原稿１１０および第２原稿１２０の左辺の位置である。
【００５４】
まず、画像読取装置１０における処理の全体的な流れについて図３および図５を参照しながら説明する。
【００５５】
第１制御部１０１は、原稿台１３に載置された第１原稿をスキャン部１４にスキャンさせることにより第１画像を生成する（Ｓ１０１）。例えば、スキャン部１４は、図５の（ａ）に示す第１原稿１１０を、Ｘ軸方向に沿って左から右へスキャンする。そして、第１制御部１０１は、第１画像（データ）をメモリに格納する。
【００５６】
第１判定部１０２は、第１原稿がスキャンされた後に、原稿台１３上における第２原稿の端の検出を行うことにより、原稿台１３上に第２原稿が載置されている否かを判定する（Ｓ１０２）。図５の（ｂ）の例では、第１判定部１０２は、スキャン部１４の待機位置近傍の局所的な領域であるエッジ検出領域１２１をスキャンして得られた画像に対してエッジ検出を行う。そして、予め定められた方向のエッジ（原稿端）が検出された場合に、第１判定部１０２は、原稿台１３上に第２原稿１２０が載置されていると判定する。一方、予め定められた方向のエッジが検出されなかった場合には、第１判定部１０２は、原稿台１３上に第２原稿１２０が載置されていないと判定する。
【００５７】
このステップＳ１０２における第１判定部１０２の処理は、例えば、第１原稿がスキャンされた後に、他のデバイス（例えば、サーバ、通信端末など）への第１画像の送信が完了した時に行われる。また例えば、第１原稿がスキャンされた後に、画像読取装置１０に着脱可能な記録媒体（例えば、メモリカード、ＵＳＢ（Universal Serial Bus）メモリなど）への第１画像の格納が完了した時に、第１判定部１０２の処理は行われてもよい。また、例えば、第１原稿がスキャンされた後に、ファクシミリによる第１画像の送信が完了した時に、第１判定部１０２の処理は行われてもよい。また例えば、第１原稿のスキャンが完了してから所定の時間経過した時に、第１判定部１０２の処理は行われてもよい。
【００５８】
ここで、原稿台１３に第２原稿が載置されていると判定された場合（Ｓ１０２のＹｅｓ）、決定部１０３は、第１原稿内の第１部分領域を決定する（Ｓ１０３）。このステップＳ１０３における第１部分領域の決定処理の詳細については図４を用いて後述する。
【００５９】
続いて、第２制御部１０４は、第１原稿内の第１部分領域に対応する第２原稿内の第２部分領域をスキャン部１４にスキャンさせることにより第２画像を生成する（Ｓ１０４）。つまり、第２制御部１０４は、第１部分領域と形状、大きさ、および原稿台１３上の位置が一致する第２部分領域の第２画像を生成する。
【００６０】
図５の（ｂ）の例では、第２制御部１０４は、非スキャン領域１２２においてスキャン部１４を高速（第１速度）で移動させる。また、第２制御部１０４は、第２部分領域１２３（スキャン領域）においてスキャン部１４を低速（第２速度）で移動させる。つまり、第２制御部１０４は、第２部分領域に到達するまでスキャン部１４を第１速度で移動させ、第２部分領域に到達してからスキャン部１４を第１速度よりも小さい第２速度で移動させる。なお、第２制御部１０４は、第２部分領域１２３においてスキャン部１４を低速で移動させながら、スキャン部１４に第２部分領域１２３をスキャンさせることにより、第２部分領域１２３の第２画像を生成する。
【００６１】
次に、第２判定部１０５は、第１画像に含まれる第１部分領域の画像と第２画像（第２部分領域の画像）とを比較することにより、第２原稿が第１原稿と同一であるか否かを判定する（Ｓ１０５）。
【００６２】
図５の例では、第２判定部１０５は、例えば以下のように、第２原稿１２０が第１原稿１１０と同一であるか否かを判定する。まず、第２判定部１０５は、第１画像内の第１部分領域１１２の画像をメモリから読み出す。そして、第２判定部１０５は、第１部分領域１１２の画像に含まれる複数の第１画素の各々について、当該第１画素の値と、第２部分領域１２３の画像（第２画像）に含まれる第２画素であって当該第１画素に対応する第２画素の値とを比較する。ここで、第２判定部１０５は、第１部分領域１１２の画像および第２部分領域１２３の画像において第１画素の値と第２画素の値とがすべて一致する場合に、第２原稿１２０が第１原稿１１０と同一であると判定する。
【００６３】
ここで、第２原稿が第１原稿と同一であると判定された場合（Ｓ１０５のＹｅｓ）、通知部１０６は、原稿台１３への第２原稿（つまり、第１原稿）の置き忘れをユーザに通知し（Ｓ１０６）、処理を終了する。
【００６４】
一方、原稿台１３に第２原稿が載置されていると判定されなかった場合（Ｓ１０２のＮｏ）、そのまま処理を終了する。つまり、原稿台１３に第２原稿が載置されていると判定されなかった場合には、ステップＳ１０３〜ステップＳ１０６が実行されない。また、第２原稿が第１原稿と同一であると判定されなかった場合も（Ｓ１０５のＮｏ）、ステップＳ１０６を実行せずに、そのまま処理を終了する。
【００６５】
次に、図３のステップＳ１０３における第１部分領域の決定処理の詳細について図４および図５を参照しながら説明する。なお、以下において、第１画像においてライン方向（Ｙ軸方向）に並ぶ画素の列を画素ラインと呼ぶ。つまり、画素ラインは、スキャン方向（Ｘ軸方向、所定方向）と直交する方向に並ぶ複数の画素を含む。
【００６６】
決定部１０３は、第１画像に含まれる複数の画素ラインの中から、第１閾値数以上の数の非白画素を有する第１画素ラインを決定する（Ｓ１１１）。ここでは、決定部１０３は、各々が第１閾値数以上の数の非白画素を含む２以上の画素ラインが第１画像に含まれる場合、当該２以上の画素ラインのうち、スキャンの開始位置に最も近い画素ラインを第１画素ラインと決定する。図５の（ａ）の例では、第１原稿１１０の破線１１１上の領域に対応する画素ラインが第１画素ラインと決定される。
【００６７】
ここで、第１閾値数とは、原稿の特徴が表現されている画素ラインを判別するための非白画素の数の下限値である。図５の（ａ）の例では、第１閾値数として、「１」が用いられている。
【００６８】
続いて、決定部１０３は、第１画素ラインに含まれる非白画素の数が、第１閾値数より大きい第２閾値数以上であるか否かを判定する（Ｓ１１２）。ここで、第２閾値数とは、第１画素ラインを、他の原稿の画像に含まれる画素ラインと区別するために必要な非白画素の数の下限値である。図５の（ａ）の例では、第２閾値数として「１０」が用いられている。
【００６９】
例えば、図５の（ａ）では、破線１１１上の領域に三角形のオブジェクトの頂点のみが存在するので、第１画素ラインに含まれる非白画素の数は「１」である。したがって、第１画素ラインに含まれる非白画素の数「１」が第２閾値数「１０」未満であると判定される。
【００７０】
ここで、第１画素ラインに含まれる非白画素の数が第２閾値数以上である場合（Ｓ１１２のＹｅｓ）、決定部１０３は、第１画素ラインに対応する第１原稿上の領域を第１部分領域と決定する（Ｓ１１３）。例えば、第１画素ラインに第２閾値数「１０」以上の非白画素が含まれていれば、破線１１１上の領域が第１部分領域と決定される。
【００７１】
一方、第１画素ラインに含まれる非白画素の数が第２閾値数未満である場合（Ｓ１１２のＮｏ）、決定部１０３は、第１画素ラインを含む複数の画素ラインに対応する第１原稿１１０上の領域を第１部分領域と決定する（Ｓ１１４）。例えば、決定部１０３は、第１画素ラインと、第１画素ラインから所定ライン数だけＸ軸方向に移動した画素ラインとの間の領域を、第１部分領域と決定する。図５の（ａ）の例では、第１画素ラインに対応する破線１１１上の領域を含む第１部分領域１１２が決定されている。
【００７２】
［効果］
以上のように、本実施の形態に係る画像読取装置１０によれば、第１原稿および第２原稿をスキャン部１４にスキャンさせることにより生成された第１画像および第２画像を比較することにより、第２原稿が第１原稿と同一であるか否かが判定される。したがって、スキャン部１４を用いて第１原稿の置き忘れを判定できるので、原稿台上への原稿の置き忘れを検出するために専用のセンサが不要となる。つまり、原稿台上への原稿の置き忘れを検出するために部品点数が増加することを抑制することができる。
【００７３】
さらに、本実施の形態に係る画像読取装置１０によれば、第１原稿内の第１部分領域の画像（第１画像の一部）と第２原稿内の第２部分領域の画像（第２画像）とを比較することにより、第２原稿が第１原稿と同一であるか否かが判定される。したがって、第１原稿の置き忘れを判定するために、第２原稿のすべての領域をスキャンする必要がない。つまり、第１原稿の置き忘れを判定するための、処理負荷の軽減および処理速度の向上を実現することができる。
【００７４】
また、本実施の形態に係る画像読取装置１０によれば、第２原稿の端の検出結果に基づいて原稿台上に第２原稿が載置されていると判定された場合に、第２原稿内の第２部分領域のスキャンおよび第１画像の一部と第２画像との比較が行われる。つまり、第１判定部１０２および第２判定部１０５による段階的な判定結果に基づいて、原稿台への第１原稿の置き忘れを判定することができる。第１判定部１０２における第２原稿の端の検出は、スキャン部１４の待機位置近傍の局所的な領域のスキャン結果に基づいて行うことができる。したがって、原稿台上に第２原稿が載置されていない状況においてスキャン部１４が無駄に移動することを防ぐことができ、第１原稿の置き忘れを判定するための、処理負荷の軽減および処理速度の向上を実現することができる。
【００７５】
また、本実施の形態に係る画像読取装置１０によれば、第１画像の画像特徴に基づいて、第１部分領域を決定することができる。つまり、第１原稿および第２原稿を比較するための部分領域を、画像特徴に応じて適応的に決定することができる。したがって、第１原稿内の固定領域（例えば中央領域）を第１部分領域と決定する場合よりも、白画素を多く含む領域（つまり、画像特徴が少ない領域）を第１部分領域と決定することを防ぐことができる。その結果、第２原稿が第１原稿と同一であるか否かの判定の精度を向上させることができる。
【００７６】
また、本実施の形態に係る画像読取装置１０によれば、第１閾値数以上の数の非白画素を有する第１画素ラインに基づいて第１部分領域を決定することができる。したがって、白画素が多く含まれる領域（つまり、画像特徴が少ない領域）を第１部分領域と決定することを防ぐことができ、第２原稿が第１原稿と同一であるか否かの判定の精度を向上させることができる。
【００７７】
また、本実施の形態に係る画像読取装置１０によれば、２以上の画素ラインのうち、スキャンの開始位置に最も近い画素ラインを第１画素ラインと決定することができる。したがって、第２部分領域をスキャンするためのスキャン部の移動を抑制することができる。その結果、第１原稿の置き忘れを判定するための、処理負荷の軽減および処理速度の向上を実現することができる。
【００７８】
また、本実施の形態に係る画像読取装置１０によれば、第１画素ラインに含まれる非白画素の数に応じて第１部分領域の大きさを変更することができる。したがって、白画素を多く含む領域（つまり、画像特徴が少ない領域）を第１部分領域と決定することを防ぐことができる。その結果、第２原稿が第１原稿と同一であるか否かの判定の精度を向上させることができる。
【００７９】
また、本実施の形態に係る画像読取装置１０によれば、第２部分領域に到達するまでスキャン部を第１速度で移動させ、第２部分領域に到達してからスキャン部を第１速度より小さい第２速度で移動させることができる。したがって、スキャンする必要がないときにスキャン部を高速で移動することができ、第１原稿の置き忘れを判定するための処理速度を向上させることができる。
【００８０】
（実施の形態２）
次に、実施の形態２について説明する。
【００８１】
本実施の形態に係る画像読取装置は、原稿台上に第２原稿が載置されていると判定された場合に、さらに、第１原稿の端の位置と第２原稿の端の位置とが一致するか否かを判定する。そして、本実施の形態に係る画像読取装置は、第１原稿の端の位置と第２原稿の端の位置とが一致すると判定された場合に、第２原稿内の第２部分領域をスキャンする。
【００８２】
以下に、本実施の形態に係る画像読取装置について、実施の形態１と異なる点を中心に説明する。
【００８３】
［画像読取装置の機能構成］
図６は、実施の形態２に係る画像読取装置の機能構成を示すブロック図である。なお、図６において、図２と同一または類似する機能を有する構成要素については、同一の符号を付し、適宜説明を省略する。
【００８４】
図６に示すように、画像読取装置２０は、第１制御部１０１と、第１判定部１０２と、決定部１０３と、第２制御部１０４と、第２判定部１０５と、通知部１０６と、第３判定部２０１とを備える。
【００８５】
第３判定部２０１は、原稿台１３上に第２原稿が載置されていると判定された場合に、第１原稿の端の位置と第２原稿の端の位置とが一致するか否かを判定する。具体的には、第３判定部２０１は、例えば、第２原稿をスキャンして得られた画像において検出された予め定められた方向のエッジの位置が、第１画像において検出された予め定められた方向のエッジの位置と一致するか否かを判定する。
【００８６】
［画像読取装置の動作］
次に、以上のように構成された画像読取装置２０の動作について説明する。
【００８７】
図７は、実施の形態２に係る画像読取装置の処理動作を示すフローチャートである。なお、図７において、図３と同一または類似の処理が実行されるステップについては、同一の符号を付し、適宜説明を省略する。
【００８８】
原稿台１３に第２原稿が載置されていると判定された場合（Ｓ１０２のＹｅｓ）、第３判定部２０１は、第１原稿の端の位置と第２原稿の端の位置とが一致するか否かを判定する（Ｓ２０１）。
【００８９】
ここで、第１原稿の端の位置と第２原稿の端の位置とが一致すると判定された場合（Ｓ２０１のＹｅｓ）、決定部１０３は、第１原稿内の第１部分領域を決定する（Ｓ１０３）。一方、第１原稿の端の位置と第２原稿の端の位置とが一致しないと判定された場合（Ｓ２０１のＮｏ）、ステップＳ１０３〜ステップＳ１０６が実行されずに、処理が終了する。
【００９０】
［効果］
以上のように、本実施の形態に係る画像読取装置２０によれば、第１原稿の端の位置と第２原稿の端の位置とが一致すると判定された場合に、第２原稿内の少なくとも１つの第２部分領域をスキャン部にスキャンさせることができる。したがって、第１原稿のサイズと第２原稿のサイズとが異なる場合などに、第２原稿内の第２部分領域のスキャンをキャンセルすることができる。つまり、第１原稿の置き忘れを判定するための、処理負荷の軽減および処理速度の向上を実現することができる。
【００９１】
（実施の形態３）
次に、実施の形態３について説明する。
【００９２】
本実施の形態に係る画像読取装置は、複数の第１部分領域の画像と、複数の第２部分領域の画像とを比較することにより、第２原稿が第１原稿と同一であるか否かを判定する。
【００９３】
以下に、本実施の形態に係る画像読取装置について、実施の形態１と異なる点を中心に説明する。
【００９４】
［画像読取装置の機能構成］
図８は、実施の形態３に係る画像読取装置の機能構成を示すブロック図である。なお、図８において、図２と同一または類似する機能を有する構成要素については、同一の符号を付し、適宜説明を省略する。
【００９５】
図８に示すように、画像読取装置３０は、第１制御部１０１と、第１判定部１０２と、決定部３０１と、第２制御部３０２と、第２判定部３０３と、通知部１０６とを備える。
【００９６】
決定部３０１は、互いに所定ライン数以上離れて位置する複数の第１画素ラインを決定する。さらに、決定部３０１は、複数の第１画素ラインに基づいて複数の第１部分領域を決定する。
【００９７】
第２制御部３０２は、複数の第２部分領域をスキャン部１４にスキャンさせることにより、複数の第２画像を生成する。
【００９８】
第２判定部３０３は、複数の第１部分領域の画像と複数の第２画像（複数の第２部分領域の画像）とを比較することにより、第２原稿が第１原稿と同一であるか否かを判定する。
【００９９】
［画像読取装置の動作］
次に、以上のように構成された画像読取装置３０の動作について説明する。
【０１００】
図９は、実施の形態３に係る画像読取装置の処理動作を示すフローチャートである。図１０は、実施の形態３における第１部分領域の決定処理の詳細を示すフローチャートである。図１１は、実施の形態３における複数の第１部分領域および複数の第２部分領域の一例を示す図である。なお、図９および図１０において、図３および図４と同一または類似の処理が実行されるステップについては、同一の符号を付し、適宜説明を省略する。
【０１０１】
まず、画像読取装置３０における処理の全体的な流れについて図９および図１１を参照しながら説明する。
【０１０２】
原稿台１３に第２原稿が載置されていると判定された場合（Ｓ１０２のＹｅｓ）、決定部３０１は、互いに所定ライン数以上離れて位置する複数の第１画素ラインを決定する（Ｓ３０１）。このステップＳ３０１における複数の第１部分領域の決定処理の詳細については図１０を用いて後述する。
【０１０３】
続いて、第２制御部３０２は、第２原稿内の複数の第２部分領域をスキャン部１４にスキャンさせることにより複数の第２画像を生成する（Ｓ３０２）。つまり、第２制御部３０２は、複数の第１部分領域と形状、大きさ、および原稿台１３上の位置がそれぞれ一致する複数の第２部分領域の複数の第２画像を生成する。
【０１０４】
図１１の（ｂ）の例では、第２制御部３０２は、スキャン部１４に第２部分領域３２１、３２２をそれぞれスキャンさせることにより、第２部分領域３２１の第２画像と第２部分領域３２２の第２画像とを生成する。
【０１０５】
次に、第２判定部３０３は、第１画像に含まれる複数の第１部分領域の画像と複数の第２画像（複数の第２部分領域の画像）とを比較することにより、第２原稿が第１原稿と同一であるか否かを判定する（Ｓ３０３）。
【０１０６】
図１１の例では、第２判定部３０３は、例えば以下のように、第２原稿３２０が第１原稿３１０と同一であるか否かを判定する。まず、第２判定部３０３は、第１画像内の第１部分領域１１２の画像をメモリから読み出す。そして、第２判定部３０３は、第１部分領域３１１、３１２の画像に含まれる複数の第１画素の各々について、当該第１画素の第１輝度値と、第２部分領域３２１、３２２の画像（第２画像）に含まれる第２画素であって当該第１画素に対応する第２画素の第２輝度値とを比較する。ここで、第２判定部３０３は、第１部分領域３１１の画像および第２部分領域３２１の画像と、第１部分領域３１２の画像および第２部分領域３２２の画像とにおいて、第１輝度値と第２輝度値とがすべて一致する場合に、第２原稿３２０が第１原稿３１０と同一であると判定する。
【０１０７】
次に、図９のステップＳ３０１における複数の第１部分領域の決定処理の詳細について図１０および図１１を参照しながら説明する。
【０１０８】
ここで、第１画素ラインに含まれる非白画素の数が第２閾値数以上である場合（Ｓ１１２のＹｅｓ）、決定部３０１は、第１画素ラインに対応する第１原稿上の領域を複数の第１部分領域のうちの１つと決定する（Ｓ３１１）。
【０１０９】
一方、第１画素ラインに含まれる非白画素の数が第２閾値数未満である場合（Ｓ１１２のＮｏ）、決定部３０１は、第１画素ラインを含む複数の画素ラインに対応する第１原稿１１０上の領域を複数の第１部分領域のうちの１つと決定する（Ｓ３１２）。例えば、決定部３０１は、第１画素ラインと、第１画素ラインから所定ライン数だけＸ軸方向に移動した画素ラインとの間の領域を、第１部分領域と決定する。図１１の（ａ）の例では、複数の第１部分領域のうちの１つとして第１部分領域３１１が決定される。
【０１１０】
次に、決定部３０１は、複数の第１部分領域のうちの他の１つを決定する（Ｓ３１３）。例えば、決定部３０１は、ステップＳ３１２において決定された第１部分領域から所定ライン数だけ離れた領域を複数の第１部分領域のうちの他の１つを決定する。図１１の（ａ）の例では、複数の第１部分領域のうちの他の１つとして第１部分領域３１２が決定される。
【０１１１】
［効果］
以上のように、本実施の形態に係る画像読取装置３０によれば、複数の部分領域の比較結果に基づいて、第２原稿が第１原稿と同一であるか否かを判定することができる。したがって、第２原稿が第１原稿と同一であるか否かの判定の精度を向上させることができる。
【０１１２】
（実施の形態４）
次に、実施の形態４について説明する。
【０１１３】
本実施の形態に係る画像読取装置は、原稿のスキャン後にすぐにスキャン部を待機位置に移動させずに、原稿台上に原稿が載置されていないと判定された後にスキャン部を待機位置に移動させる。
【０１１４】
以下に、本実施の形態に係る画像読取装置について図面を参照しながら説明する。なお、実施の形態１に係る画像読取装置と同一または類似の構成については、図示および説明を省略する場合がある。
【０１１５】
［画像読取装置の機能構成］
本実施の形態に係る画像読取装置４０の機能構成について説明する。図１２は、実施の形態４に係る画像読取装置の機能構成を示すブロック図である。図１２に示すように、画像読取装置４０は、第１制御部４０１と、第１判定部４０２と、第２制御部４０３と、通知部４０４とを備える。
【０１１６】
第１制御部４０１は、原稿台１３に載置された原稿をスキャン部１４にスキャンさせることにより画像を生成する。つまり、第１制御部４０１は、スキャン部１４をスキャン方向に移動させ、原稿台１３上の原稿をスキャンさせる。
【０１１７】
さらに、第１制御部４０１は、原稿のスキャン後に、スキャン部１４を原稿位置に停止させる。原稿位置とは、原稿を読み取り可能な位置である。例えば、原稿位置は、生成された画像に基づいて決定される。具体的には、原稿位置は、例えば、生成された画像に含まれるエッジに基づいて決定される。
【０１１８】
第１判定部４０２は、原稿がスキャンされた後に、原稿台１３上における原稿の検出を行うことにより、原稿台１３上に原稿が載置されている否かを判定する。具体的には、第１判定部４０２は、例えば、原稿台１３上のスキャン部１４の待機位置近傍においてスキャン部１４を動作させることにより、原稿の厚みによって生じる蓋体１２と原稿との段差を検出する。
【０１１９】
第２制御部４０３は、原稿台１３上に原稿が載置されていないと判定された後に、スキャン部１４を待機位置に移動させる。また、第２制御部４０３は、原稿台１３上に原稿が載置されていないと判定された後に、第１制御部４０１によって生成された画像を出力する。具体的には、第２制御部４０３は、例えば、印刷部（図示せず）、表示部（図示せず）あるいは通信部（図示せず）に画像を出力する。
【０１２０】
通知部４０４は、原稿台１３から原稿を取り除かせるためのユーザへの通知を行う。ユーザへの通知は、例えば、ディスプレイ、警告ランプあるいはスピーカなどを用いて行われればよい。
【０１２１】
［画像読取装置の動作］
次に、以上のように構成された画像読取装置４０の動作について説明する。図１３は、実施の形態４に係る画像読取装置の処理動作を示すフローチャートである。
【０１２２】
まず、第１制御部４０１は、原稿台１３に載置された原稿をスキャン部１４にスキャンさせることにより画像を生成する（Ｓ４０１）。第１制御部４０１は、スキャン部１４を原稿位置に停止させる（Ｓ４０２）。つまり、第１制御部４０１は、スキャン部１４を待機位置に戻さずに、原稿を読み取り可能な位置に待機させる。通知部４０４は、ユーザに原稿を取り除かせるための通知を行う（Ｓ４０３）。
【０１２３】
次に、第１判定部４０２は、原稿がスキャンされた後に、原稿台１３上における原稿の検出を行うことにより、原稿台１３上に原稿が載置されている否かを判定する（Ｓ４０４）。例えば、第１判定部４０２は、蓋体１２の開閉が検知された時に原稿が載置されている否かを判定する。蓋体１２の開閉の検知は、開閉センサによって行われてもよいし、スキャン部１４によって行われてもよい。また例えば、第１判定部４０２は、既に原稿が取り除かれたことを指示するためのプッシュボタンがユーザによって押された時に載置されている否かを判定してもよい。
【０１２４】
ここで、原稿台１３上に原稿が載置されていないと判定された場合（Ｓ４０４のＮｏ）、第２制御部４０３は、第１制御部４０１によって生成された画像を出力する（Ｓ４０５）。例えば、第２制御部４０３は、送信部（図示せず）に画像を送信させる。さらに、第２制御部４０３は、スキャン部１４を待機位置に移動させ（Ｓ４０６）、画像読取装置４０の処理を終了する。
【０１２５】
一方、原稿台１３上に原稿が載置されていると判定された場合（Ｓ４０４のＹｅｓ）、ステップＳ４０３に戻る。つまり、原稿台１３上に原稿が載置されていると判定された場合、第２制御部４０３は、画像を出力せず、かつ、スキャン部１４を待機位置に移動させない。
【０１２６】
［効果］
以上のように、本実施の形態に係る画像読取装置４０によれば、原稿台上に原稿が載置されている場合にスキャン部が待機位置に移動せずに、原稿台上に原稿が載置されていない場合にスキャン部が待機位置に移動する。したがって、原稿の置き忘れを検出するためのスキャン部の移動を抑制することができ、原稿の置き忘れの検出を高速に行うことが可能となる。
【０１２７】
また、本実施の形態に係る画像読取装置４０によれば、原稿台上に原稿が載置されている場合には画像の出力が行われない。つまり、原稿台上の原稿が取り除かれなければ、ユーザの所望の処理（例えば、スキャン結果（画像）の印刷、表示、送信など）が終了しないので、原稿の取り忘れを抑制することができる。
【０１２８】
（他の実施の形態）
以上、本発明の実施の形態に係る画像読取装置について説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も本発明の範囲内に含まれる。
【０１２９】
例えば、上記実施の形態１〜３のいずれかと、上記実施の形態４とを組み合わせてもよい。つまり、実施の形態１〜３のいずれかにおいて、第２制御部は、原稿台上に第２原稿が載置されていないと判定された後に、スキャン部を待機位置に移動させてもよい。つまり、第２制御部は、第２判定部の判定結果に基づいて画像の出力を制御してもよい。例えば、第２制御部は、第２判定部の判定結果に基づいて、送信部に画像を送信させてもよい。
【０１３０】
なお、上記実施の形態１〜３において、第１原稿内の第１部分領域の決定は、原稿台に第２原稿が載置されているか否かの判定の後に行われていたが、これに限定されなくてもよい。つまり、第１原稿内の第１部分領域の決定は、原稿台に第２原稿が載置されているか否かの判定の前に行われてもよい。この場合、第１画像のうち第１部分領域の画像のみがメモリに格納されてもよい。これにより、第１画像を格納するためのメモリ領域を削減することができる。
【０１３１】
なお、上記実施の形態１〜３において、第１画素ライン内の非白画素の数に応じて第１部分領域の大きさが変更されていたが、必ずしもこのように第１部分領域が決定される必要はない。例えば、第１閾値数として比較的大きな値を用いることにより、第１画素ラインに対応する第１原稿内の領域が常に第１部分領域と決定されてもよい。
【０１３２】
なお、上記実施の形態１〜３において、画像読取装置は、決定部を備えていたが、決定部を備えなくてもよい。つまり、画像読取装置は、予め定められた形状および大きさを有する、予め定められた位置の第１部分領域を用いて、第１原稿の置き忘れを判定してもよい。
【０１３３】
なお、上記実施の形態１〜３において、第１部分領域の画像と第２部分領域の画像とが完全一致する場合に、第２原稿が第１原稿と同一であると判定される場合について説明したが、これに限られない。例えば、第１部分領域の画像と第２部分領域の画像との差異を示す値（例えば、差分絶対値和（ＳＡＤ：Sum of Absolute Differences））が閾値未満である場合に、第２原稿が第１原稿と同一であると判定されてもよい。
【０１３４】
なお、上記各実施の形態において、スキャン部の待機位置（スキャンの開始位置）が画像読取装置の左側であったが、これに限定されなくてもよい。例えば、スキャン部の待機位置は、画像読取装置の左側であってもよい。
【０１３５】
なお、画像読取装置は、印刷部（例えば、インクジェットプリンタ、レーザプリンタ）を備えてもよい。また、画像読取装置は、ファクシミリ通信部を備えてもよい。つまり、画像読取装置は、いわゆる複合機（ＭＦＰ：Multifunction Printer/Peripheral/Product）であってもよい。
【産業上の利用可能性】
【０１３６】
本発明の一態様に係る画像読取装置は、例えば、イメージスキャナおよびコピー機等として利用することができる。
【符号の説明】
【０１３７】
１０、２０、３０、４０  画像読取装置
１１  筐体
１２  蓋体
１３  原稿台
１４  スキャン部
１０１、４０１  第１制御部
１０２、４０２  第１判定部
１０３、３０１  決定部
１０４、３０２、４０３  第２制御部
１０５、３０３  第２判定部
１０６、４０４  通知部
２０１  第３判定部
【図１】
2015216637.tif 000003
【図２】
2015216637.tif 000004
【図３】
2015216637.tif 000005
【図４】
2015216637.tif 000006
【図５】
2015216637.tif 000007
【図６】
2015216637.tif 000008
【図７】
2015216637.tif 000009
【図８】
2015216637.tif 000010
【図９】
2015216637.tif 000011
【図１０】
2015216637.tif 000012
【図１１】
2015216637.tif 000013
【図１２】
2015216637.tif 000014
【図１３】
2015216637.tif 000015